(57)【要約】【課題】  風呂蓋保持具を形成する取付部材及び保持部材に樹脂メッキや塗装を施して外観性を向上させ、且つこの樹脂メッキや塗装の剥離は防止する。【解決手段】  壁面３０に固定される取付部材１と、取付部材１に対して回転自在に連結される保持部材２とから成り、所定の回転位置にある保持部材２に風呂蓋を係止させて用いる風呂蓋保持具において、取付部材１及び保持部材２の表面に樹脂メッキ又は塗装を施すとともに、取付部材１と保持部材２の連結部分には、摺動部材３を介在させる。【選択図】図１
2008264385.tif 000002
【特許請求の範囲】
【請求項１】
壁面に固定される取付部材と、取付部材に対して回転自在に連結される保持部材とから成り、所定の回転位置にある保持部材に風呂蓋を係止させて用いる風呂蓋保持具において、取付部材及び保持部材の表面に樹脂メッキ又は塗装を施すとともに、取付部材と保持部材の連結部分には、摺動部材を介在させて成ることを特徴とする風呂蓋保持具。
【請求項２】
リング状の摺動部材を保持部材に取付け、取付部材には連結凸部を設け、摺動部材の内面に連結凸部を回転自在に嵌合させることで取付部材と保持部材を回転自在に連結させて成ることを特徴とする請求項１に記載の風呂蓋保持具。
【請求項３】
摺動部材を、筒状を成す胴部の両端に係止用のフランジ部を延設することで形成し、一方のフランジ部には、胴部にまで至るスリットを貫設してあることを特徴とする請求項２に記載の風呂蓋保持具。
【請求項４】
摺動部材は、表面滑性の高い材質から成ることを特徴とする請求項１〜３のいずれか一項に記載の風呂蓋保持具。
【発明の詳細な説明】
【技術分野】
【０００１】
本発明は、浴室等に設置される回動自在な風呂蓋保持具に関する。
【背景技術】
【０００２】
従来から、図４、図５に示すような風呂蓋保持具が提案されている（例えば特許文献１を参照。）。この風呂蓋保持具は、浴室等の壁面３０に固定される取付部材１と、この取付部材１に対して回転自在に連結される筒状の軸部２ａからＬ字状に係止部２ｂを延設した保持部材２とから形成され、保持部材２が図５中に実線で示す所定の回転位置にあるときに、先端を下方に向けた係止部２ｂが風呂蓋２０を起立姿勢で係止させる構造である。保持部材２を回転させて図５中に点線で示す回転位置に切換えた場合には、保持部材２による風呂蓋２０の係止は解除される。
【０００３】
上記風呂蓋保持具において外観性向上を図るためには、取付部材１及び保持部材２に樹脂メッキや塗装を施すことが好ましい。しかし、このようにした場合、取付部材１と保持部材２のメッキ面同士や塗装面同士が摺動することとなり、結果的に両者１，２のメッキや塗装が剥がれ落ちて浴室等を汚すという問題や、剥離が露出部分にまで至って外観性が低下するという問題がある。
【特許文献１】実開平５−５１１８３号公報
【発明の開示】
【発明が解決しようとする課題】
【０００４】
本発明は上記問題点に鑑みて発明したものであって、風呂蓋保持具を形成する取付部材及び保持部材に樹脂メッキや塗装を施して外観性を向上させ、且つこの樹脂メッキや塗装の剥離を防止することを課題とする。
【課題を解決するための手段】
【０００５】
上記課題を解決するために本発明を、壁面３０に固定される取付部材１と、取付部材１に対して回転自在に連結される保持部材２とから成り、所定の回転位置にある保持部材２に風呂蓋２０を係止させて用いる風呂蓋保持具において、取付部材１及び保持部材２の表面に樹脂メッキ又は塗装を施すとともに、取付部材１と保持部材２の連結部分には、摺動部材３を介在させて成るものとする。
【０００６】
このように摺動部材３を介在させることで、取付部材１と保持部材２のメッキ面同士や塗装面同士が摺動してメッキや塗装が剥がれ落ちることが防止される。したがって、剥離により浴室等を汚すことや、摺動部分の剥離が露出部分にまで至るということなく、風呂蓋保持具の外観性を樹脂メッキや塗装により確実に向上させることができる。
【０００７】
また上記構成の風呂蓋保持具にあっては、リング状の摺動部材３を保持部材２に取付け、取付部材１には連結凸部１ｂを設け、摺動部材３の内面に連結凸部１ｂを回転自在に嵌合させることで取付部材１と保持部材２を回転自在に連結させることが好適である。このようにすることで、保持部材２を取付部材１に対して確実且つ円滑に連結させることができる。
【０００８】
更に、摺動部材３を、筒状を成す胴部３ａの両端に係止用のフランジ部３ｂ，３ｃを延設することで形成し、一方のフランジ部３ｂには、胴部３ａにまで至るスリット３ｄを貫設してあることが好適である。このようにすることで、スリット３ｄを介して胴部３ａ及びフランジ部３ｂが弾性変形するようになり、摺動部材３を保持部材２に装着させる作業が容易となる。
【０００９】
なお、摺動部材３は、表面滑性の高い材質から成ることが好適である。このようにすることで、樹脂メッキや塗装の剥離が更に確実に防止される。
【発明の効果】
【００１０】
請求項１に係る発明は、風呂蓋保持具を形成する取付部材及び保持部材に樹脂メッキや塗装を施して外観性を向上させることができ、且つこの樹脂メッキや塗装の剥離を防止することができるという効果を奏する。
【００１１】
また請求項２に係る発明は、請求項１に係る発明の効果に加えて、保持部材と取付部材を確実且つ円滑に連結させることができるという効果を奏する。
【００１２】
また請求項３に係る発明は、請求項１に係る発明の効果に加えて、スリットを介して胴部及びフランジ部が弾性変形するようになり、摺動部材を保持部材に装着させる作業が容易になるという効果を奏する。
【００１３】
また請求項４に係る発明は、請求項１に係る発明の効果に加えて、樹脂メッキや塗装の剥離が更に確実に防止されるという効果を奏する。
【発明を実施するための最良の形態】
【００１４】
以下、本発明を添付図面に示す実施形態に基づいて説明するが、図４，図５にて示した従来例と同様の構成については同一符号を付して、重複する説明は省略する。図１には、本発明の実施形態における一例の風呂蓋保持具を示している。本例の取付部材１及び保持部材２の表面には、樹脂メッキ又は塗装仕上げが施してあり、外観性の向上が図られている。また、取付部材１と保持部材２が回転自在に連結する部分には、リング状の摺動部材３を介在させている。
【００１５】
図２にも示すように上記摺動部材３は、円筒状を成す胴部３ａと、この胴部３ａの軸方向両端から外方に向けて延設される係止用のフランジ部３ｂ，３ｃとから成る断面コ字状（図１中の断面を参照。）の部材である。一方のフランジ部３ｂから胴部３ａに至るまでの範囲には、スリット３ｄが軸方向に貫設されており、このスリット３ｄを介して胴部３ａ全体の弾性変形が許容されるようになっている。また、スリット３ｄが形成されていない側のフランジ部３ｃの側周面には、位置決め用の凹部３ｅが一対形成されている。
【００１６】
保持部材２の筒状を成す軸部２ａには、取付部材１と連結する側の端部を開口させるとともに、この開口近傍の内周面に、摺動部材３を取付けるための凸部２ｃを全周に亘って形成している。即ち、この凸部２ｃの内周面に摺動部材３の胴部３ａの外周面が当たり、凸部２ｃの軸方向の両端面に、摺動部材３の両フランジ部３ｂ，３ｃの軸方向の端面が当たることで、断面コ字状を成すリング状の摺動部材３が軸部２ａ内に抜け止めされた状態で装着される。なお、図示はしないが、軸部２ａには摺動部材３の凹部３ｅにそれぞれ係合する回り止め部が設けてあり、該係合によって摺動部材３の保持部材２に対する回転は防止されている。
【００１７】
この摺動部材３を保持部材２に装着するには、スリット３ｄを貫設してあるフランジ部３ｂ側から、軸部２ａ内に摺動部材３を挿入すればよい。図１に示すように、軸部２ａにおける取付部材１と連結する側とは逆側の端部の蓋２ｄを外しておき、この蓋２ｄを外した開口から図１、図２中の矢印Ａ方向に摺動部材３を挿入して装着すればよい。ここで、摺動部材３を軸部２ａの奥にまで挿入すると、まずスリット３ｄを貫設してあるフランジ部３ｂが凸部２ｃに当たり、スリット３ｄを介して胴部３ａ全体が弾性変形することでフランジ部３ｂは凸部２ｃを乗り越えたうえで凸部２ｃに係止する。この状態において、両側のフランジ部３ｂ，３ｃ間に凸部２ｃを挟み込むのであるが、このときフランジ部３ｂは軸部２ａの開口から僅かに外方に突出するように設けている。なお、蓋２ｄは摺動部材３装着後に閉じておけばよい。
【００１８】
取付部材１は、壁面３０に固定される基台部１ａと、この基台部１ａから正面方向に延設される円筒状の連結凸部１ｂとから成る。この連結凸部１ｂは、摺動部材３の胴部３ａ内に回転自在に嵌入されるものであり、連結凸部１ｂの先端部には、抜け止め用のフランジ部１ｃが外方に向けて延設してある。また、このフランジ部１ｃから連結凸部１ｂに至るまでの範囲には、変形を許容するためのスリット１ｄが軸方向に貫設されている。
【００１９】
したがって、保持部材２の筒状を成す軸部２ａの、摺動部材３が僅かに突出するように装着させた開口部分に連結凸部１ｂを挿入すると、まず先端のフランジ部１ｃが摺動部材３の端部開口縁に当たり、スリット１ｄを介して連結凸部１ｂ全体が弾性変形を生じながら、フランジ部１ｃは摺動部材３内を通過したうえで逆側の端部開口縁に係止する。この状態において、摺動部材３の軸部２ａから僅かに突出した端部は取付部材１の基台部１ａに当たり、該摺動部材３を介して保持部材２は取付部材１に対して回転自在に連結される。
【００２０】
上記構成の風呂蓋保持具にあっては、摺動部材３が介在することで、保持部材２が取付部材１に直接摺接することがない。したがって、取付部材１及び保持部材２の表面に樹脂メッキや塗装仕上げを施して外観性を向上させてあるにも関わらず、この樹脂メッキ面同士や塗装面同士が摺接して剥離を生じるといったことがない。なお摺動部材３としては、フッ素樹脂等の適宜手段が施してあって十分な表面滑性を有するものを用いることが好適である。
【００２１】
また、風呂蓋保持具の摺動部材３は図３に示すようなものであってもよい。この摺動部材３は、リング状を成す薄板状の部材であり、取付部材１の連結凸部１ｂに嵌合するようになっている。摺動部材３を装着させた状態にある取付部材１の連結凸部１ｂに、保持部材２の軸部２ａの開口部分を嵌め込んでいくと、連結凸部１ｂ先端のフランジ部１ｃが軸部２ａに当たりながら、連結凸部１ｂ全体がスリット１ｄを介して弾性変形し、全周に亘ってテーパ状に形成した凸部２ｃを乗り越えたうえで、該凸部２ｃにフランジ部１ｃが係止される。この状態において、摺動部材３を介して保持部材２は取付部材１に対して回転自在に連結される構造であり、樹脂メッキ面同士や塗装面同士が摺接して剥離を生じることを防止する。
【００２２】
なお、以上述べた実施形態の各構成は、本発明の主旨を逸脱しない範囲内で適宜設計変更可能である。
【図面の簡単な説明】
【００２３】
【図１】本発明の実施形態における一例の風呂蓋保持具の説明図である。
【図２】同上の風呂蓋保持具に装着される摺動部材の斜視図である。
【図３】別形状の摺動部材を用いた場合の風呂蓋保持具の説明図である。
【図４】従来の風呂蓋保持具の説明図である。
【図５】風呂蓋保持具の使用状態を示す説明図である。
【符号の説明】
【００２４】
１  取付部材
２  保持部材
３  摺動部材
３ａ  胴部
３ｂ  フランジ部
３ｃ  フランジ部
３ｄ  スリット
２０  風呂蓋
３０  壁面
【図１】
2008264385.tif 000003
【図２】
2008264385.tif 000004
【図３】
2008264385.tif 000005
【図４】
2008264385.tif 000006
【図５】
2008264385.tif 000007